(57)【要約】  本発明にかかる被監視者監視システムは、監視対象である被監視者を検知して前記被監視者を監視するシステムであり、この被監視者監視システムに用いられる表示装置および表示方法は、前記被監視者の画像および前記被監視者の状態を判定した判定結果を表すアイコンを表示する。前記アイコンは、物事を比較的簡単な絵柄等で記号化して表現したものであり、絵、記号、図またはこれらの組合せで構成される。
2016152424.tif 000002
【特許請求の範囲】
【請求項１】
監視対象である被監視者を検知して前記被監視者を監視する被監視者監視システムにおける表示装置であって、
前記被監視者の画像および前記被監視者の状態を判定した判定結果を受け付ける監視情報受付部と、
表示を行う表示部と、
前記判定結果に対応付けて前記判定結果を表すアイコンを記憶するアイコン記憶部と、
前記監視情報受付部で受け付けた前記被監視者の判定結果に対応するアイコンを前記アイコン記憶部から取得し、前記取得したアイコンおよび前記監視情報受付部で受け付けた前記被監視者の画像を前記表示部に表示する表示処理部とを備える、
被監視者監視システムの表示装置。
【請求項２】
前記被監視者の画像は、前記被監視者の直上に配置されたカメラで生成された画像である、
請求項１に記載の被監視者監視システムの表示装置。
【請求項３】
前記被監視者の画像は、静止画または動画である、
請求項１または請求項２に記載の被監視者監視システムの表示装置。
【請求項４】
前記動画は、記録された記録動画またはリアルタイムなリアルタイム動画である、
請求項３に記載の被監視者監視システムの表示装置。
【請求項５】
前記被監視者の画像は、前記判定を行った際に用いられた画像である、
請求項１ないし請求項４のいずれか１項に記載の被監視者監視システムの表示装置。
【請求項６】
前記表示処理部は、さらに、前記判定を行った判定時刻からの経過時間を前記表示部に表示する、
請求項１ないし請求項５のいずれか１項に記載の被監視者監視システムの表示装置。
【請求項７】
前記表示処理部は、前記アイコンを時系列で複数表示する、
請求項１ないし請求項６のいずれか１項に記載の被監視者監視システムの表示装置。
【請求項８】
将来生じる前記被監視者の判定結果を予測する判定結果予測部をさらに備え、
前記表示処理部は、将来生じる前記被監視者の判定結果を前記判定結果予測部で予測した予測判定結果に対応するアイコンを予測アイコンとしてさらに表示する、
を特徴とする請求項１ないし請求項７のいずれか１項に記載の被監視者監視システムの表示装置。
【請求項９】
前記表示処理部は、予め設定された被監視者のみ、前記予測アイコンを表示する、
請求項８に記載の被監視者監視システムの表示装置。
【請求項１０】
前記表示処理部は、前記アイコンと前記予測アイコンとを異なる表示で表示する、
請求項８または請求項９に記載の被監視者監視システムの表示装置。
【請求項１１】
監視対象である被監視者を検知して前記被監視者を監視する被監視者監視システムにおける表示方法であって、
前記被監視者の画像および前記被監視者の状態を判定した判定結果を受け付ける監視情報受付工程と、
前記監視情報受付工程で受け付けた前記被監視者の判定結果に対応するアイコンを、前記判定結果に対応付けて前記判定結果を表すアイコンを予め記憶するアイコン記憶部から取得する取得工程と、
前記取得工程で取得したアイコンおよび前記監視情報受付工程で受け付けた前記被監視者の画像を、表示を行う表示部に表示する表示処理工程とを備える、
被監視者監視システムの表示方法。
【請求項１２】
監視対象である被監視者を検知して前記被監視者を監視する被監視者監視システムであって、
前記被監視者の画像と前記被監視者の状態を判定した判定結果を表示するための、請求項１ないし請求項１０のいずれか１項に記載の表示装置を備える、
被監視者監視システム。
【発明の詳細な説明】
【技術分野】
【０００１】
本発明は、監視すべき監視対象である被監視者を監視し、前記被監視者に関する所定の情報を受信装置に送信する被監視者監視システムの表示装置および被監視者監視システムの表示方法、ならびに、前記被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。また、２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、病気や怪我や高齢等による看護や介護を必要とする要看護者や要介護者（要看護者等）は、高齢化社会ではない通常の社会で生じる要看護者等よりもその増加が見込まれる。そして、我が国は、例えば２０１３年の合計特殊出生率が１．４３という少子化社会でもある。そのため、高齢な要看護者等を高齢の家族（配偶者、子、兄弟）が介護する老老介護も起きて来ている。【０００３】
要看護者等は、病院や、老人福祉施設（日本の法令では老人短期入所施設、養護老人ホームおよび特別養護老人ホーム等）等の施設に入所し、その看護や介護を受ける。このような施設では、要看護者等が、例えばベッドからの転落や歩行中の転倒等によって怪我を負ったり、ベッドから抜け出して徘徊したりするなどの事態が生じ得る。このような事態に対し、可及的速やかに対応する必要がある。また、このような事態を放置しておくとさらに重大な事態に発展してしまう可能性もある。このため、前記施設では、看護師や介護士等は、定期的に巡視することによってその安否や様子を確認している。【０００４】
しかしながら、要看護者等の増加数に対し看護師等の増加数が追い付かずに、看護業界や介護業界は、慢性的に人手不足になっている。さらに、日勤の時間帯に較べ、準夜勤や夜勤の時間帯では、看護師や介護士等の人数が減るため、一人当たりの業務負荷が増大するので、前記業務負荷の軽減が要請される。また、前記老老介護の事態は、前記施設でも例外ではなく、高齢の要看護者等を高齢の看護師等がケアすることもしばしば見られる。一般に高齢になると体力が衰えるため、健康であっても若い看護師等に比し看護等の負担が重くなり、また、その動きや判断も遅くなる。【０００５】
このような人手不足や看護師等の負担を軽減するため、看護業務や介護業務を補完する技術が求められている。このため、近年では、要看護者等の、監視すべき監視対象である被監視者を監視（モニタ）する被監視者監視技術が研究、開発されている。【０００６】
このような技術の一つとして、例えば特許文献１に開示されたナースコールシステムがある。この特許文献１に開示されたナースコールシステムは、ベッドに設置されて患者が看護師を呼び出すためのナースコール子機と、ナースステーションに設置されて前記ナースコール子機による呼び出しに応答するためのナースコール親機とを有するナースコールシステムであって、ベッド上の患者をベッド上方から撮像するカメラと、前記カメラの撮像映像から、患者が上半身を起こした状態及び患者がベッド上から離れた状態のうち少なくとも一方の発生を判断して注意状態発生信号を出力する状態判断手段とを有し、前記ナースコール親機は、前記注意状態発生信号を受けて報知動作する報知手段を有する。そして、前記ナースコール親機は、映像を表示するモニタ及び前記注意状態発生信号を受信したら前記モニタに前記カメラの撮像映像を表示させる映像制御部を有する。【０００７】
一方、安否確認の点では、一人暮らしの独居者も前記要介護者等と同様であり、被監視対象者となる。【０００８】
ところで、前記特許文献１では、患者の様子を看護師が認識できるように、カメラの撮像映像がモニタに表示される。しかしながら、前記カメラは、ベット上方から患者を撮像するので、撮像映像（動画および静止画を含む）から患者の状態（状況）が把握し難い。特に、患者の直上から撮像すると、上下方向（奥行き方向）の変化が少ない撮像映像となるため、静止画はもちろん動画でも、患者の状態の把握が難しい。例えば、被監視者がしゃがんでいるのか、転倒しているのか、の判断が難しい。また、撮像映像が動画である場合、患者の動きを見て患者の状態を把握することになるので、患者の状態の把握に時間がかかる。特に、患者や高齢者は、動きが比較的少なく、より時間がかかってしまう。画像で状況を確認する場合の課題として、静止画の場合には、検知時点での画像であるため、最新の状況が分からない、動画の場合には、最新の状況は分かるが、通知時点の状況（なぜ通知されたのか）や、今に至る経緯が分からない、つまり静止画、動画いずれにしても、状況の全容が分からない、という問題もある。【０００９】
前述したように介護業務では事故を防止するために正確で素早い判断は、重要である。判断が遅くなったために防止できたはずの事故が防止できなかったり、被監視者に転倒などのトラブルが起きた場合に対応が遅くなり重症化したりといった問題も起きる。また誤った判断を行うことも問題であり、事故を事故でないと判断する場合だけでなく、事故ではないのに事故だと判断する誤判断により、介護士の業務が増えて人手不足の課題がある介護業務において大きな労力の損失となり、別の事故に気づくことが遅くなるといった問題も起きる。
【先行技術文献】
【特許文献】
【００１０】
【特許文献１】特開２０１４−９０９１３号公報
【発明の概要】
【００１１】
本発明は、上述の事情に鑑みて為された発明であり、その目的は、被監視者の状態（状況）を、より的確に、より早く、監視者が認識できる被監視者監視システムの表示装置および表示方法ならびに前記被監視者監視システムを提供することである。
【００１２】
本発明にかかる被監視者監視システムは、監視対象である被監視者を検知して前記被監視者を監視するシステムであり、この被監視者監視システムに用いられる表示装置および表示方法は、前記被監視者の画像および前記被監視者の状態を判定した判定結果を表すアイコンを表示する。前記アイコンは、物事を比較的簡単な絵柄等で記号化して表現したものであり、絵、記号、図またはこれらの組合せで構成される。したがって、本発明にかかる被監視者監視システムの表示装置および表示方法ならびに前記被監視者監視システムは、被監視者の状態（状況）を、より的確に、より早く、監視者が認識できる。
【００１３】
上記並びにその他の本発明の目的、特徴及び利点は、以下の詳細な記載と添付図面から明らかになるであろう。
【図面の簡単な説明】
【００１４】
【図１】実施形態における被監視者監視システムの構成を示す図である。
【図２】実施形態の被監視者監視システムにおける携帯端末ユニットの構成を示す図である。
【図３】前記携帯端末ユニットに記憶される監視情報テーブルおよび検知ユニット情報テーブルの各構成を示す図である。
【図４】実施形態の被監視者監視システムで用いられるアイコンの一例を示す図である。
【図５】前記携帯端末ユニットにおける、監視情報の表示に関する動作を示すフローチャートである。
【図６】前記携帯端末ユニットに表示される待受け表示画面の一例を示す図である。
【図７】被監視者の起床の通知を受けた、前記携帯端末ユニットに表示される監視情報表示画面の一例を示す図である。
【図８】前記起床の通知を受けた後に前記被監視者の離床の通知を受けた、前記携帯端末ユニットに表示される監視情報表示画面の一例を示す図である。
【図９】前記携帯端末ユニットに全画面表示で表示される監視情報表示画面の一例を示す図である。
【図１０】実施形態の被監視者監視システムで用いられる予測アイコンの一例を示す図である。
【発明を実施するための形態】
【００１５】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１６】
本被監視者監視システムは、監視すべき（見守るべき）監視対象（見守り対象）である被監視者（見守り対象者）Ｏｂを検知して前記被監視者Ｏｂを監視するものである。この被監視者監視システムに用いられる表示装置は、前記被監視者Ｏｂの画像と前記被監視者Ｏｂの状態を判定した判定結果とを表示する。そして、本実施形態では、前記表示装置は、前記判定結果の表示に加え、あるいは、前記判定結果の表示に代えて、前記判定結果を、それを表すアイコンで表示する。前記アイコンは、物事を比較的簡単な絵柄等で記号化して表現したものであり、絵、記号、図またはこれらの組合せで構成される。本実施形態では、前記被監視者Ｏｂの画像は、前記被監視者Ｏｂの直上に配置されたカメラで生成され、また、静止画または動画（一例では記録された記録動画あるいは他の一例ではリアルタイムなリアルタイム動画）である。そして、好ましくは、前記被監視者Ｏｂの画像は、前記判定を行った際に用いられた画像である。本実施形態では、前記表示装置は、前記判定を行った判定時刻からの経過時間を表示する。本実施形態では、前記表示装置は、前記アイコンを時系列で複数表示する。本実施形態では、前記表示装置は、将来生じる被監視者Ｏｂの判定結果を予測した予測判定結果を表す予測アイコンを表示し、予め設定された被監視者Ｏｂのみ、前記予測アイコンを表示するように構成される。この場合において、前記表示装置は、前記アイコンと前記予測アイコンとを異なる表示で表示する。
【００１７】
図１は、実施形態における被監視者監視システムの構成を示す図である。図２は、実施形態の被監視者監視システムにおける携帯端末ユニットの構成を示す図である。図３は、前記携帯端末ユニットに記憶される監視情報テーブルおよび検知ユニット情報テーブルの各構成を示す図である。図３Ａは、前記監視情報テーブルを示し、図３Ｂは、前記検知ユニット情報テーブルを示す。図４は、実施形態の被監視者監視システムで用いられるアイコンの一例を示す図である。図１０は、実施形態の被監視者監視システムで用いられる予測アイコンの一例を示す図である。
【００１８】
このような被監視者監視システムＭＳは、例えば、図１に示すように、１または複数の検知ユニット（センサーユニット）ＳＵ（ＳＵ−１〜ＳＵ−４）と、管理サーバユニットＳＶと、固定端末ユニットＳＰと、１または複数の携帯端末ユニットＴＡ（ＴＡ−１、ＴＡ−２）とを備え、これらは、有線や無線で、ＬＡＮ（Ｌｏｃａｌ  Ａｒｅａ  Ｎｅｔｗｏｒｋ）、電話網およびデータ通信網等の網（ネットワーク、通信回線）ＮＷを介して通信可能に接続される。ネットワークＮＷには、通信信号を中継する例えばリピーター、ブリッジ、ルーターおよびクロスコネクト等の中継機が備えられても良い。図１に示す例では、これら複数の検知ユニットＳＵ−１〜ＳＵ−４、管理サーバユニットＳＶ、固定端末ユニットＳＰおよび複数の携帯端末ユニットＴＡ−１、ＴＡ−２は、アクセスポイントＡＰを含む無線ＬＡＮ（例えばＩＥＥＥ８０２．１１規格に従ったＬＡＮ等）ＮＷによって互いに通信可能に接続されている。
【００１９】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーションＳＴ等の複数の部屋を備える介護施設の建物に配設されている。
【００２０】
検知ユニットＳＵは、ネットワークＮＷを介して他のユニットＳＶ、ＳＰ、ＴＡと通信する通信機能を備え、被監視者Ｏｂを撮像して画像を生成しこの生成した画像から被監視者Ｏｂを検知する機器である。より具体的には、検知ユニットＳＵは、例えば、ネットワークを介して他のユニットＳＶ、ＳＰ、ＴＡと通信するための通信インターフェース回路（例えばＬＡＮカード等）、マイクロ波を送受信して被監視者Ｏｂの体動（例えば呼吸動作等）によって生じた前記マイクロ波のドップラシフトを検出することで被監視者Ｏｂを検知するドップラシフト方式の体動センサ、被監視者Ｏｂを撮像して画像を生成する画像センサ、前記体動センサの出力（体動センサ出力）および前記画像センサの出力（画像）に基づいて被監視者Ｏｂの検知結果として被監視者Ｏｂの状態（状況）を判定するデータ処理回路、これらを制御する制御回路およびその周辺回路を備えて構成され、前記検知結果を管理サーバユニットＳＶへ送信する。前記画像センサ（カメラ）は、例えば、被監視者Ｏｂの上方、特に直上（真上）に配置される。このように前記画像センサ（カメラ）が被監視者の上方、特に直上に配置された場合に、本実施形態の被監視者監視システムＭＳは、効果的である。検知ユニットＳＵは、所定の他のユニットＳＶ、ＳＰ、ＴＡに前記生成した画像（静止画および動画を含む）を送信する。本実施形態では、検知ユニットＳＵは、固定端末ユニットＳＰや携帯端末ユニットＴＡ等に対してナースコールを通知するナースコール回路、および、固定端末ユニットＳＰや携帯端末ユニットＴＡ等との間で音声通話を行う通話回路を備え、ナースコールおよび音声通話が可能となっている。図１には、一例として、４個の第１ないし第４検知ユニットＳＵ−１〜ＳＵ−４が示されており、第１検知ユニットＳＵ−１は、被監視者Ｏｂの一人であるＡさんＯｂ−１の居室ＲＭ−１（不図示）に配設され、第２検知ユニットＳＵ−２は、被監視者Ｏｂの一人であるＢさんＯｂ−２の居室ＲＭ−２（不図示）に配設され、第３検知ユニットＳＵ−３は、被監視者Ｏｂの一人であるＣさんＯｂ−３の居室ＲＭ−３（不図示）に配設され、そして、第４検知ユニットＳＵ−４は、被監視者Ｏｂの一人であるＤさんＯｂ−４の居室ＲＭ−４（不図示）に配設されている。
【００２１】
管理サーバユニットＳＶは、ネットワークＮＷを介して他のユニットＳＵ、ＴＡ、ＳＰと通信する通信機能を備え、検知ユニットＳＵから被監視者Ｏｂに関する前記検知結果および前記被監視者Ｏｂの画像を受信して被監視者Ｏｂに対する監視に関する情報（監視情報）を管理する機器である。管理サーバユニットＳＶは、検知ユニットＳＵから被監視者Ｏｂに関する前記検知結果および前記被監視者Ｏｂの画像を受信すると、被監視者Ｏｂに対する監視に関する前記監視情報を収容した通信信号（監視情報通信信号）を固定端末ユニットＳＰおよび携帯端末ユニットＴＡに送信する。管理サーバユニットＳＶは、クライアント（本実施形態では固定端末ユニットＳＰおよび携帯端末ユニットＴＡ等）の要求に応じたデータを前記クライアントに提供する。このような管理サーバユニットＳＶは、例えば、通信機能付きのコンピュータによって構成可能である。
【００２２】
固定端末ユニットＳＰは、ネットワークＮＷを介して他のユニットと通信する通信機能、所定の情報を表示する表示機能、および、所定の指示やデータを入力する入力機能等を備え、管理サーバユニットＳＶや携帯端末ユニットＴＡに与える所定の指示やデータを入力したり、検知ユニットＳＵで得られた検知結果や画像を表示したり等することによって、被監視者監視システムＭＳのユーザインターフェース（ＵＩ）として機能する機器である。このような固定端末ユニットＳＰは、例えば、通信機能付きのコンピュータによって構成可能である。
【００２３】
携帯端末ユニットＴＡは、ネットワークＮＷを介して他のユニットＳＶ、ＳＰ、ＳＵと通信する通信機能、所定の情報を表示する表示機能、所定の指示やデータを入力する入力機能、および、音声通話を行う通話機能等を備え、管理サーバユニットＳＶや検知ユニットＳＵに与える所定の指示やデータを入力したり、管理サーバユニットＳＶからの通知によって検知ユニットＳＵで得られた前記検知結果や画像を表示したり等することによって、被監視者Ｏｂに対する監視に関する前記監視情報を受け付けて表示する機器である。
【００２４】
前記管理サーバユニットＳＶが前記表示装置の一例であって前記表示装置として機能して良く、また、前記固定端末ユニットＳＰが前記表示装置の一例であって前記表示装置として機能しても良いが、ここでは、携帯端末ユニットＴＡが前記表示装置の一例であって前記表示装置として機能する場合について、説明する。なお、前記管理サーバユニットＳＶが前記表示装置の一例であって前記表示装置として機能する場合、以下の説明と同様に、前記管理サーバユニットＳＶを構成できる。また、前記固定端末ユニットＳＰが前記表示装置の一例であって前記表示装置として機能する場合も、以下の説明と同様に、前記固定端末ユニットＳＰを構成できる。
【００２５】
このような携帯端末ユニットＴＡは、本実施形態では、例えば、図２に示すように、端末制御処理部（ＴＡ制御処理部）４１と、端末記憶部（ＴＡ記憶部）４２と、端末通信インターフェース部（ＴＡ通信ＩＦ部）４３と、端末音入出力部（ＴＡ音入出力部）４４と、端末入力部（ＴＡ入力部）４５と、端末表示部（ＴＡ表示部）４６と、端末インターフェース部（ＴＡＩＦ部）４７とを備える。
【００２６】
ＴＡ音入出力部４４は、ＴＡ制御処理部４１に接続され、外部の音を取得して携帯端末ユニットＴＡに入力するためのデバイスであって、ＴＡ制御処理部４１の制御に従って音を表す電気信号に応じた音を生成して出力するためのデバイスである。ＴＡ音入出力部４４は、例えば、音の音響振動を電気信号に変換するマイクロホン等と、音の電気信号を音の音響振動に変換するスピーカ等とを備えて構成される。ＴＡ音入出力部４４は、外部の音を表す電気信号をＴＡ制御処理部４４へ出力し、また、ＴＡ制御処理部４４から入力された電気信号を音の音響振動に変換して出力する。
【００２７】
ＴＡ入力部４５は、ＴＡ制御処理部４１に接続され、例えば、所定の操作を受け付け、携帯端末ユニットＴＡに入力するデバイスであり、例えば、所定の機能を割り付けられた複数の入力スイッチ等である。前記所定の操作には、例えば、ログインするためのＩＤの入力操作や、前記検知結果および前記画像を通報された被監視者Ｏｂに対する例えば救命、看護および介助等の対応を実行するか否かの入力操作等の監視する上で必要な各種操作等が含まれる。ＴＡ表示部４６は、ＴＡ制御処理部４１に接続され、ＴＡ制御処理部４１の制御に従って、ＴＡ入力部４５から入力された所定の操作内容、および、被監視者監視システムＭＳによって監視されている被監視者Ｏｂに対する監視に関する前記監視情報（例えば判定された被監視者Ｏｂの状態や画像等）等を表示するデバイスであり、例えばＬＣＤ（液晶表示装置）および有機ＥＬディスプレイ等の表示装置である。このＴＡ表示部は、表示を行う前記表示部の一例に相当する。そして、本実施形態では、ＴＡ入力部４５およびＴＡ表示部４６からタッチパネルが構成されている。この場合において、ＴＡ入力部４５は、例えば抵抗膜方式や静電容量方式等の操作位置を検出して入力する位置入力デバイスである。このタッチパネルでは、ＴＡ表示部４６の表示面上に位置入力デバイスが設けられ、ＴＡ表示部４６に入力可能な１または複数の入力内容の候補が表示され、看護師や介護士等のユーザが、入力したい入力内容を表示した表示位置を触れると、位置入力デバイスによってその位置が検出され、検出された位置に表示された表示内容がユーザの操作入力内容として携帯端末ユニットＴＡに入力される。
【００２８】
ＴＡＩＦ部４７は、ＴＡ制御処理部４１に接続され、ＴＡ制御処理部４１の制御に従って、外部機器との間でデータの入出力を行うデバイスであり、例えば、Ｂｌｕｅｔｏｏｔｈ（登録商標）規格を用いたインターフェース回路、ＩｒＤＡ（Ｉｎｆｒａｒｅｄ  Ｄａｔａ  Ａｓｓｃｏｉａｔｉｏｎ）規格等の赤外線通信を行うインターフェース回路、および、ＵＳＢ（Ｕｎｉｖｅｒｓａｌ  Ｓｅｒｉａｌ  Ｂｕｓ）規格を用いたインターフェース回路等である。
【００２９】
ＴＡ通信ＩＦ部４３は、ＴＡ制御処理部４１に接続され、ＴＡ制御処理部４１の制御に従って通信を行うための通信デバイスである。ＴＡ通信ＩＦ部４３は、ＴＡ制御処理部４１から入力された転送すべきデータを収容した通信信号を、この被監視者監視システムＭＳのネットワークＮＷで用いられる通信プロトコルに従って生成し、この生成した通信信号をネットワークＮＷを介して他のユニットＳＵ、ＳＶ、ＳＰへ送信する。ＴＡ通信ＩＦ部４３は、ネットワークＮＷを介して他のユニットＳＵ、ＳＶ、ＳＰから通信信号を受信し、この受信した通信信号からデータを取り出し、この取り出したデータをＴＡ制御処理部４１が処理可能な形式のデータに変換してＴＡ制御処理部４１へ出力する。ＴＡ通信ＩＦ部４３は、被監視者Ｏｂの前記画像および前記判定結果を受け付ける前記監視情報受付部の一例に相当する。
【００３０】
ＴＡ記憶部４２は、ＴＡ制御処理部４１に接続され、ＴＡ制御処理部４１の制御に従って、各種の所定のプログラムおよび各種の所定のデータを記憶する回路である。前記各種の所定のプログラムには、例えば、被監視者Ｏｂの前記画像および前記判定結果を表すアイコンを表示する監視情報画面表示プログラムや、将来生じる被監視者Ｏｂの判定結果を予測する判定結果予測プログラム等の制御処理プログラムが含まれる。前記各種の所定のデータには、前記アイコンのデータ、前記判定結果予測プログラムによって予測された判定結果を表すアイコン（予測アイコン）を表示する被監視者Ｏｂのデータ、被監視者Ｏｂに対する監視に関する前記監視情報、検知ユニットＳＵに関する検知ユニット情報等の各プログラムを実行する上で必要なデータ等が含まれる。ＴＡ記憶部４２は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＴＡ記憶部４２は、前記所定のプログラムの実行中に生じるデータ等を記憶するいわゆるＴＡ制御処理部４１のワーキングメモリとなるＲＡＭ（Ｒａｎｄｏｍ  Ａｃｃｅｓｓ  Ｍｅｍｏｒｙ）等を含む。そして、ＴＡ記憶部４２は、機能的に、アイコン記憶部４２１、予測アイコン表示被監視者記憶部４２２、監視情報記憶部４２３および検知ユニット情報記憶部４２４を備えている。
【００３１】
アイコン記憶部４２１は、前記判定結果に対応付けて前記判定結果を象徴的に表すアイコンを記憶するものである。より具体的には、アイコン記憶部４２１は、互いに異なる種類の判定結果それぞれに対応付けて当該判定結果を表す複数のアイコンを記憶する。例えば、本実施形態では、検知ユニットＳＵによって被監視者Ｏｂの状態として起床、離床、転倒転落および微体動異常の別が判定されており、これらの各判定結果（起床、離床、転倒転落および微体動異常）に対応した各アイコン（各アイコンの各画像データ）が予め用意されている。例えば、図４に示すように、被監視者Ｏｂが起床したと判定されたことを象徴的に表す起床アイコンＩＣ−１、被監視者Ｏｂが離床したと判定されたことを象徴的に表す離床アイコンＩＣ−２、被監視者Ｏｂが転倒転落したと判定されたことを象徴的に表す転倒転落アイコンＩＣ−３、および、被監視者Ｏｂが微体動異常であると判定されたことを象徴的に表す微体動異常アイコンＩＣ−４の４個のアイコンＩＣが予め用意されている。これら各アイコンが各判定結果に対応付けられてアイコン記憶部４２１に記憶される。例えば、アイコンのデータを格納したファイル（電子ファイル）、および、前記判定結果と前記判定結果を象徴的に表すアイコンのファイル名との対応関係を示すテーブル（アイコンテーブル）が、アイコン記憶部４２１に予め記憶される。
【００３２】
予測アイコン表示被監視者記憶部４２２は、前記予測アイコンを表示すべき被監視者Ｏｂを特定し識別するための被監視者識別子（被監視者ＩＤ）を記憶するものである。より具体的には、例えば、被監視者ＩＤの被監視者Ｏｂを監視している検知ユニットＳＵの検知ＩＤが前記予測アイコンを表示すべき被監視者Ｏｂの被監視者ＩＤとして、予測アイコン表示被監視者記憶部４２２に記憶される。また例えば、被監視者ＩＤと、前記被監視者ＩＤの被監視者Ｏｂを監視する検知ユニットＳＵの検知ＩＤとの対応関係が予測アイコン表示被監視者記憶部４２２に予め記憶され、前記予測アイコンを表示すべき被監視者Ｏｂの被監視者ＩＤが前記対応関係とは別途に予測アイコン表示被監視者記憶部４２２に記憶されても良い。前記対応関係によって前記予測アイコンを表示すべき被監視者Ｏｂの被監視者ＩＤが検知ＩＤに紐付けされる。
【００３３】
監視情報記憶部４２３は、被監視者Ｏｂに対する監視に関する前記監視情報を記憶するものである。前記監視情報は、検知ユニットＳＵを特定し識別するための検知ユニット識別子（検知ＩＤ）、前記検知ＩＤに対応付けられ前記検知ＩＤを持つ前記検知ユニットＳＵで被監視者Ｏｂの状態として判定された判定結果を表す情報（判定結果情報；本実施形態では起床、離床、転倒転落、微体動異常を含む）、前記検知ＩＤに対応付けられ前記検知ＩＤを持つ前記検知ユニットＳＵで被監視者Ｏｂの状態を判定した時刻を表す情報（判定時刻情報）、前記検知ＩＤに対応付けられ前記検知ＩＤを持つ前記検知ユニットＳＵで被監視者Ｏｂの状態を判定した際に用いられた被監視者Ｏｂの静止画（複数の画像を用いて判定した場合にはそのうちの１つ（例えば最終の画像））、前記検知ＩＤに対応付けられ前記検知ＩＤを持つ前記検知ユニットＳＵの通信アドレス（例えばＩＰアドレス等）、および、前記検知ＩＤに対応付けられ前記検知ＩＤを持つ前記検知ユニットＳＵで監視されている被監視者Ｏｂに対する例えば看護等の前記対応を実行する意思が当該携帯端末ユニットＴＡに入力されたか否かを示す対応情報等を含む。なお、前記判定時刻に代え、前記判定結果および前記画像の通報を受けた通信信号の受信時刻が用いられても良い。
【００３４】
この監視情報は、本実施形態では、テーブル形式で監視情報記憶部４２３に記憶されている。この監視情報を登録する監視情報テーブルＭＴは、例えば、図３Ａに示すように、前記検知ＩＤを登録する検知ＩＤフィールド４２３１と、検知ＩＤフィールドに登録された検知ＩＤに対応する検知ユニットＳＵにかかる前記判定結果情報を登録する判定結果フィールド４２３２と、検知ＩＤフィールドに登録された検知ＩＤに対応する検知ユニットＳＵにかかる前記判定時刻情報を登録する判定時刻フィールド４２３３と、検知ＩＤフィールドに登録された検知ＩＤに対応する検知ユニットＳＵにかかる前記静止画を登録する静止画フィールド４２３４と、ライブ動画の取得先として、検知ＩＤフィールドに登録された検知ＩＤに対応する検知ユニットＳＵの通信アドレス（例えばＩＰアドレス等）を登録する動画フィールド４２３５と、検知ＩＤフィールドに登録された検知ＩＤに対応する検知ユニットＳＵで監視されている被監視者Ｏｂに対する前記対応の意思の入否を示す対応情報を登録する対応フィールド４２３６とを備え、監視情報通信信号の受信ごとにレコードを備える。対応フィールド４２３６には、前記対応の意思の入否を示す対応情報を示すフラグが登録されている。例えば、本実施形態では、対応フィールド４２３６には、前記対応の意思が携帯端末ユニットＴＡに入力されたことを意味するフラグ「１」、あるいは、前記対応の意思が携帯端末ユニットＴＡに入力されていないことを意味するフラグ「０」が登録される。なお、静止画フィールド４２３４には、例えば、静止画の画像データが登録されて良く、また例えば、静止画の画像データのファイル名が登録されて良い。この図３Ａに示す例では、第１番目のレコードにおいて、検知ＩＤフィールド４２３１、判定結果フィールド４２３２、判定時刻フィールド４２３３、静止画フィールド４２３４、動画フィールド４２３５および対応フィールド４２３６それぞれには、「ＳＵ−１」、「起床」、「０６：３２」、「ＳＰ１」、「＊＊．＊＊．＊＊．＊＊」（＊＊は整数値）および「０」が登録されており、第２番目のレコードにおいて、検知ＩＤフィールド４２３１、判定結果フィールド４２３２、判定時刻フィールド４２３３、静止画フィールド４２３４、動画フィールド４２３５および対応フィールド４２３６それぞれには、「ＳＵ−１」、「離床」、「０６：４５」、「ＳＰ２」、「＊＊．＊＊．＊＊．＊＊」（＊＊は整数値）および「０」が登録されている。
【００３５】
なお、図３Ａに示す例では、監視情報テーブルＭＴは、動画フィールド４２３５を備えたが、検知ＩＤと、ライブ動画の取得先として、検知ユニットＳＵの通信アドレスとの対応関係を示すテーブルが監視情報テーブルＭＴとは別途に用意されて監視情報記憶部４２３に記憶され、図３Ａに示す監視情報テーブルＭＴから、動画フィールド４２３５が省略されても良い。
【００３６】
検知ユニット情報記憶部４２４は、検知ユニットＳＵに関する前記検知ユニット情報を記憶するものである。前記検知ユニット情報は、検知ユニットＳＵにおける配設場所、および、前記検知ユニットＳＵで監視される被監視者名を含む。この検知ユニット情報は、本実施形態では、テーブル形式で検知ユニット情報記憶部４２４に記憶されている。この検知ユニット情報を登録する検知ユニット情報テーブルＤＴは、例えば、図３Ｂに示すように、検知ＩＤを登録する検知ＩＤフィールド４２４１と、前記検知ＩＤに対応付けられ前記検知ＩＤを持つ前記検知ユニットＳＵの配設場所を登録する配設場所フィールド４２４２と、前記検知ＩＤに対応付けられ前記検知ＩＤを持つ前記検知ユニットＳＵで監視される被監視者Ｏｂの名前を登録する被監視者名フィールド４２４３とを備え、検知ＩＤごとにレコードを備える。この図３Ｂに示す例では、第１番目のレコードにおいて、検知ＩＤフィールド４２４１、配設場所フィールド４２４２および被監視者名フィールド４２４３それぞれには、「ＳＵ−１」、「１０１」および「Ｋ山Ｍ太」が登録されており、第２番目のレコードにおいて、検知ＩＤフィールド４２４１、配設場所フィールド４２４２および被監視者名フィールド４２４３それぞれには、「ＳＵ−２」、「１０２」および「Ｍ川Ｋ子」が登録されている。
【００３７】
ＴＡ制御処理部４１は、携帯端末ユニットＴＡの各部を当該各部の機能に応じてそれぞれ制御し、被監視者Ｏｂに対する監視に関する監視情報を処理するための回路である。ＴＡ制御処理部４１は、例えば、ＣＰＵ（Ｃｅｎｔｒａｌ  Ｐｒｏｃｅｓｓｉｎｇ  Ｕｎｉｔ）およびその周辺回路を備えて構成される。ＴＡ制御処理部４１は、制御処理プログラムが実行されることによって、端末制御部（ＴＡ制御部）４１１および端末監視処理部（ＴＡ監視処理部）４１２を機能的に備え、ＴＡ監視処理部４１２は、表示処理部４１２１および判定結果予測部４１２２を機能的に備える。
【００３８】
ＴＡ制御部４１１は、携帯端末ユニットＴＡの各部を当該各部の機能に応じてそれぞれ制御し、携帯端末ユニットＴＡの全体制御を司るものである。
【００３９】
ＴＡ監視処理部４１２は、被監視者Ｏｂに対する監視に関する前記監視情報を処理するものである。
【００４０】
ＴＡ監視処理部４１２の表示処理部４１２１は、ＴＡ通信ＩＦ部４３で受信した監視情報通信信号に収容された被監視者Ｏｂの判定結果（前記監視情報の１つである）に対応するアイコンＩＣをアイコン記憶部４２１から取得し、この取得したアイコンＩＣおよびＴＡ通信ＩＦ部４３で受信した監視情報通信信号に収容された被監視者Ｏｂの静止画（前記監視情報の１つである）を前記ＴＡ表示部４６に表示するものである。
【００４１】
また、異なる時刻で複数の監視情報通信信号をＴＡ通信ＩＦ部４３で受信した場合には、表示処理部４１２１は、ＴＡ通信ＩＦ部４３で受信した前記複数の監視情報通信信号に収容された被監視者Ｏｂの複数の判定結果それぞれに対応する複数のアイコンＩＣをアイコン記憶部４２１から取得し、これら取得した複数のアイコンＩＣを時系列に並べてＴＡ表示部４６に表示し、ＴＡ通信ＩＦ部４３で受信した前記複数の監視情報通信信号に収容された前記被監視者Ｏｂの複数の画像のうちの１つをＴＡ表示部４６に表示するものである。
【００４２】
判定結果予測部４１２２は、将来生じる被監視者Ｏｂの判定結果を予測して予測判定結果を求めるものである。例えば、被監視者Ｏｂの各状態の遷移を表す状態遷移図が予め用意されてＴＡ記憶部４２に記憶され、判定結果予測部４１２２は、このＴＡ記憶部４２に記憶された状態遷移図から、これまでの被監視者Ｏｂの状態（状況）の履歴に対応する遷移先を検索し、この検索した遷移先を前記予測判定結果とする。また例えば、判定結果予測部４１２２は、前記状態遷移図を、過去における被監視者Ｏｂの状態の履歴から作成してもよい。
【００４３】
そして、判定結果予測部４１２２で前記予測判定結果が求められる場合に、前記表示処理部４１２１は、ＴＡ通信ＩＦ部４３で受信した監視情報通信信号に収容された被監視者Ｏｂの判定結果（前記監視情報の１つである）に対応するアイコンＩＣをアイコン記憶部４２１から取得し、判定結果予測部４１２２で予測された前記予測判定結果に対応するアイコンＩＣを前記予測アイコンとしてアイコン記憶部４２１から取得し、これら取得したアイコンＩＣおよび予測アイコンならびにＴＡ通信ＩＦ部４３で受信した監視情報通信信号に収容された被監視者Ｏｂの静止画（前記監視情報の１つである）を前記ＴＡ表示部４６に表示する。前記静止画は、好ましくは、前記判定を行った際に用いられた画像である。これによってユーザ（監視者）は、判定の際の画像とアイコンとを参照することで、判定の際の状況を把握でき、被監視者に起きた事象を素早く正確に判断できる。
【００４４】
また、この予測アイコンを表示する際に、前記表示処理部４１２１は、ＴＡ通信ＩＦ部４３で受信した監視情報通信信号に収容された前記画像および前記判定結果に対応する被監視者Ｏｂの被監視者ＩＤが予測アイコン表示被監視者記憶部４２２に記憶されている場合に、前記予測アイコンをＴＡ表示部４６に表示する一方、ＴＡ通信ＩＦ部４３で受信した監視情報通信信号に収容された前記画像および前記判定結果に対応する被監視者Ｏｂの被監視者ＩＤが予測アイコン表示被監視者記憶部４２２に記憶されていない場合に、前記予測アイコンをＴＡ表示部４６に表示しない。そして、この予測アイコンを表示する際に、前記表示処理部４１２１は、前記アイコンＩＣの表示と前記予測アイコンの表示とを異ならせてＴＡ表示部４６に表示する。例えば、前記表示処理部４１２１は、前記アイコンＩＣを通常の表示で表示し、前記予測アイコンを例えばハイライト、点滅表示、あるいは、前記アイコンＩＣの表示色と異なる表示色等で表示する。図１０には、一例として、点滅表示される転倒転落の予測アイコンＩＣ−５が示されている。なお、図１０では、前記転倒転落アイコンＩＣ−３から放射状に延び前記転倒転落アイコンＩＣ−３の周囲に配列された複数の線分によって、前記点滅表示が表現されている。
【００４５】
このような携帯端末ユニットＴＡは、例えば、いわゆるタブレット型コンピュータやスマートフォンや携帯電話機等の、持ち運び可能な通信端末装置によって構成可能である。
【００４６】
次に、本実施形態の動作について説明する。このような構成の被監視者監視システムＭＳでは、各ユニットＳＵ、ＳＶ、ＳＰ、ＴＡは、電源が投入されると、必要な各部の初期化を実行し、その稼働を始める。携帯端末ユニットＴＡでは、その制御処理プログラムの実行によって、ＴＡ制御処理部４１には、ＴＡ制御部４１１およびＴＡ監視処理部４１２が機能的に構成され、ＴＡ監視処理部４１２には、表示処理部４１２１および判定結果予測部４１２２が機能的に構成される。
【００４７】
そして、上記構成の被監視者監視システムＭＳは、大略、次の動作によって、各被監視者Ｏｂそれぞれを監視している。検知ユニットＳＵは、所定のサンプリング周期で前記体動センサの出力および前記画像センサの出力をサンプリングし、このサンプリングした前記体動センサの出力および前記画像センサの出力に基づいて被監視者Ｏｂの状態（状況）を判定する。この判定の結果、被監視者Ｏｂが予め設定された状態（例えば、本実施形態では、起床、離床、転倒転落および微体動異常等）であると判定すると、検知ユニットＳＵは、自機の検知ＩＤ、被監視者Ｏｂの状態として判定された判定結果を表す判定結果情報、その判定時刻を表す判定時刻情報、その判定の際に用いられた被監視者Ｏｂの静止画（複数の画像を用いて判定した場合にはそのうちの１つ（例えば最終の画像））の画像データ、および、動画像をダウンロードする通信先として自機の通信アドレス（例えばＩＰアドレス）等を収容した通信信号（監視情報通信信号）をネットワークＮＷを介して管理サーバユニットＳＶへ送信する。前記自機の通信アドレスは、ヘッダに収容された送信元の通信アドレスが兼用されても良い。検知ユニットＳＵは、公知技術によって被監視者Ｏｂの状態（状況）を判定できる。例えば、検知ユニットＳＵは、前記体動センサによって被監視者Ｏｂの呼吸動作に伴う胸部の体動（胸部の上下動）を検出し、その胸部の体動における周期の乱れや予め設定された閾値以下である前記胸部の体動における振幅を検知すると、前記微体動異常であると判定する。また例えば、検知ユニットＳＵは、前記画像センサによって被監視者Ｏｂの画像を取得し、この取得した画像から被監視者Ｏｂの人物領域を検出し、この検出した人物領域の縦横比から被監視者Ｏｂの姿勢（例えば立位、座位および横臥等）を判定し、この検出した人物領域の位置を検出し、これら判定、検出した被監視者Ｏｂの姿勢および位置に基づいて前記起床、離床および転倒転落の別を判定する。管理サーバユニットＳＶは、前記監視情報通信信号をネットワークＮＷを介して検知ユニットＳＵから受信すると、この監視情報通信信号に収容された判定結果情報、判定時刻情報、静止画の画像データおよび動画像を得るための通信アドレスを、その検知ＩＤに対応付けて記憶（記録）し、そして、この監視情報通信信号を固定端末ユニットＳＰおよび携帯端末ユニットＴＡに向け例えばブロードキャストやマルチキャストの同報通信で送信する。これによって被監視者Ｏｂの状態（状況）が報知される。なお、送信元の通信アドレスが動画を得るための通信アドレスとして兼用されている場合には、管理サーバユニットＳＶによる監視情報通信信号の転送によって送信元の通信アドレスは、管理サーバユニットＳＶの通信アドレスとなるので、管理サーバユニットＳＶは、ヘッダに収容されている送信元の検知ユニットＳＵの通信アドレスを、監視情報通信信号のペイロードに収容してから前記監視情報通信信号を同報通信する。また、管理サーバユニットＳＶは、前記監視情報通信信号を、前記監視情報通信信号を送信した検知ユニットＳＵに予め対応付けられた携帯端末ユニットＴＡにユニキャストで送信しても良い。固定端末ユニットＳＰおよび携帯端末ユニットＴＡは、前記監視情報通信信号をネットワークＮＷを介して管理サーバユニットＳＶから受信すると、この監視情報通信信号に収容された被監視者Ｏｂの監視に関する前記監視情報を表示する。携帯端末ユニットＴＡによるこの監視情報を表示する動作については、以下で詳述する。このような動作によって、被監視者監視システムＭＳは、各検知ユニットＳＵ、管理サーバユニットＳＶ、固定端末ユニットＳＰおよび携帯端末ユニットＴＡによって、各被監視者Ｏｂを検知して各被監視者Ｏｂを監視している。
【００４８】
次に、被監視者監視システムＭＳにおける、被監視者Ｏｂの監視に関する前記監視情報を表示する動作について、説明する。図５は、前記携帯端末ユニットにおける、監視情報の表示に関する動作を示すフローチャートである。図６は、前記携帯端末ユニットに表示される待受け表示画面の一例を示す図である。図７は、被監視者の起床の通知を受けた、前記携帯端末ユニットに表示される監視情報表示画面の一例を示す図である。図８は、前記起床の通知を受けた後に前記被監視者の離床の通知を受けた、前記携帯端末ユニットに表示される監視情報表示画面の一例を示す図である。図９は、前記携帯端末ユニットに全画面表示で表示される監視情報表示画面の一例を示す図である。
【００４９】
図５において、携帯端末ユニットＴＡは、電源が投入されて起動し、例えば看護師や介護士等の監視者（ユーザ）によるログイン操作を受け付けると、ＴＡ監視処理部４１２によって、自機宛の通信信号を待ち受ける待受け画面をＴＡ表示部４６に表示する（Ｓ１１）。この待受け画面５１は、例えば、図６に示すように、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末ユニットＴＡにログインしているユーザ名を表示するユーザ名領域５１５とを備える。
【００５０】
次に、携帯端末ユニットＴＡは、ＴＡ制御部４１１によって、ＴＡ通信ＩＦ部４３で通信信号を受信したか否かを判断する（Ｓ１２）。この判断の結果、通信信号を受信していない場合（Ｎｏ）には、携帯端末ユニットＴＡは、処理をＳ１１に戻し、前記判断の結果、通信信号を受信している場合（Ｙｅｓ）には、携帯端末ユニットＴＡは、次の処理Ｓ１３を実行する。
【００５１】
この処理Ｓ１３では、通信信号を受信すると、携帯端末ユニットＴＡは、ＴＡ監視処理部４１２によって、この受信した通信信号が監視情報通信信号であるか否かを判定する。この判定の結果、前記受信した通信信号が監視情報通信信号ではない場合（Ｎｏ）には、携帯端末ユニットＴＡは、ＴＡ制御処理部４１によって、前記受信した通信信号に応じた適宜な処理を実行し（Ｓ３１）、この前記監視情報の表示動作を終了する。一方、前記判定の結果、前記受信した通信信号が監視情報通信信号である場合（Ｙｅｓ）には、携帯端末ユニットＴＡは、ＴＡ監視処理部４１２によって、前記受信した監視情報通信信号に収容されている各情報を監視情報テーブルＭＴに登録して監視情報記憶部４２３に記憶し（Ｓ１４）、処理Ｓ１５を実行する。なお、監視情報テーブルＭＴに前記各情報を登録する際に、ＴＡ監視処理部４１２は、その対応フィールド４２３６にはデフォルトのフラグ「０」を登録する。
【００５２】
この処理Ｓ１５では、前記受信した通信信号が監視情報通信信号であると、携帯端末ユニットＴＡは、判定結果予測部４１２２によって、前記受信した監視情報通信信号が予測アイコン表示監視者にかかるものであるか否かを判定する。より具体的には、判定結果予測部４１２２は、前記受信した監視情報通信信号に収容されている検知ＩＤが予測アイコン表示被監視者記憶部４２２に、前記予測アイコンを表示すべき被監視者Ｏｂの被監視者ＩＤとして記憶されているか否かによって、前記受信した監視情報通信信号が予測アイコン表示監視者にかかるものであるか否かを判定する。この判定の結果、前記受信した監視情報通信信号に収容されている検知ＩＤが予測アイコン表示被監視者記憶部４２２に、前記予測アイコンを表示すべき被監視者Ｏｂの被監視者ＩＤとして記憶されている場合、判定結果予測部４１２２は、前記受信した監視情報通信信号が予測アイコン表示監視者にかかるものであると判定し（Ｙｅｓ）、次の判定結果を予測して予測判定結果を求め（Ｓ１６）、処理Ｓ１７を実行する。一方、前記判定の結果、前記受信した監視情報通信信号に収容されている検知ＩＤが予測アイコン表示被監視者記憶部４２２に、前記予測アイコンを表示すべき被監視者Ｏｂの被監視者ＩＤとして記憶されていない場合、判定結果予測部４１２２は、前記受信した監視情報通信信号が予測アイコン表示監視者にかかるものではないと判定し（Ｎｏ）、処理Ｓ１７を実行する。
【００５３】
処理Ｓ１７では、携帯端末ユニットＴＡは、表示処理部４１２１によって、前記受信した監視情報通信信号に収容されている検知ＩＤと同じ検知ＩＤを収容した監視情報通信信号を、前記受信した監視情報通信信号より前に（過去に）既に受信し、この既に受信した監視情報通信信号の監視情報画面が表示のために作成されている否かを判定する。より具体的には、表示処理部４１２１は、前記受信した監視情報通信信号に収容されている検知ＩＤと同じ検知ＩＤが、対応フィールド４２３６にフラグ「０」を登録するレコードの検知フィールド４２３１に登録されているか否かを判定することによって、前記既に受信し、この既に受信した監視情報通信信号の監視情報画面が表示のために作成されている否かを判定する。この判定の結果、前記受信した監視情報通信信号に収容されている検知ＩＤと同じ検知ＩＤが、対応フィールド４２３６にフラグ「０」を登録するレコードの検知フィールド４２３１に登録されていない場合、同じ検知ＩＤの監視情報通信信号を既に受信していないと判定し（Ｎｏ）、携帯端末ユニットＴＡは、処理Ｓ１８を実行し、一方、前記判定の結果、前記受信した監視情報通信信号に収容されている検知ＩＤと同じ検知ＩＤが、対応フィールド４２３６にフラグ「０」を登録するレコードの検知フィールド４２３１に登録されている場合、同じ検知ＩＤの監視情報通信信号を既に受信していると判定し（Ｙｅｓ）、携帯端末ユニットＴＡは、処理Ｓ１９を実行する。
【００５４】
この処理Ｓ１８では、携帯端末ユニットＴＡは、表示処理部４１２１によって、前記受信した監視情報通信信号に収容されている各情報（各データ）に従った監視情報画面を新たに作成し、この作成した監視情報画面をＴＡ表示部４６に表示する。
【００５５】
この監視情報画面は、被監視者Ｏｂの監視に関する前記監視情報を表示するための画面である。前記監視情報画面５２（５２ａ）は、例えば、図７に示すように、メニューバー領域５１１と、検知ＩＤの検知ユニットＳＵの配設場所および前記検知ＩＤの前記検知ユニットＳＵによって監視される被監視者Ｏｂの名前を表示する被監視者名領域５２１と、判定時刻（または受信時刻）からの経過時間およびアイコンＩＣを表示するアイコン領域５２２と、前記検知ＩＤの前記検知ユニットＳＵによって撮像された画像（ここでは静止画）を表示する画像領域５２３ａと、「対応する」ボタン５２４と、「話す」ボタン５２５と、「ＬＩＶＥを見る」ボタン５２６とを備える。「対応する」ボタン５２４は、前記検知ＩＤの前記検知ユニットＳＵによって監視される被監視者Ｏｂに対する例えば看護等の前記対応を実行する意思が当該携帯端末ユニットＴＡのユーザにあることを当該携帯端末ユニットＴＡに入力し、前記意思が入力されたことを固定端末ユニットＳＰおよび他の携帯端末ユニットＴＡに報知させる指示を、当該携帯端末ユニットＴＡに入力するためのボタンである。「話す」ボタン５２５は、前記検知ＩＤの前記検知ユニットＳＵと当該携帯端末ユニットＴＡとをネットワークＮＷを介して通話可能に接続する指示を入力するためのボタンである。「ＬＩＶＥを見る」ボタン５２６は、前記検知ＩＤの前記検知ユニットＳＵによって撮像される動画を表示させる指示を入力するためのボタンである。
【００５６】
前記受信した監視情報通信信号に収容されている各情報に従った監視情報画面５２ａを作成するために、表示処理部４１２１は、前記受信した監視情報通信信号に収容されている検知ＩＤに対応する配設場所および被監視者名を検知ユニット情報記憶部４２４から前記検知ＩＤを検索キーとして検索し、前記受信した監視情報通信信号に収容されている判定時刻からの経過時間を求め、前記受信した監視情報通信信号に収容されている判定結果に対応するアイコンＩＣをアイコン記憶部４２１から前記判定結果を検索キーとして検索する。そして、表示処理部４１２１は、メニューバーをメニューバー領域５１１に表示し、前記検索した配設場所および被監視者名を被監視者名領域５２１に表示し、前記求めた経過時間および前記検索したアイコンＩＣをアイコン領域５２２に表示し、前記受信した監視情報通信信号に収容されている画像（静止画）を画像領域５２３ａに表示し、「対応する」ボタン５２４、「話す」ボタン５２５、および、「ＬＩＶＥを見る」ボタン５２６を表示することで監視情報画面５２ａを作成する。ここで、この監視情報画面５２ａを作成する際に、処理Ｓ１６で予測判定結果が求められている場合には、表示処理部４１２１は、前記予測判定結果に対応するアイコンＩＣを予測アイコンとしてアイコン記憶部４２１から前記予測判定結果を検索キーとして検索し、この検索した予測アイコンも前記検索したアイコンＩＣに対して時系列に並べてアイコン領域５２２に表示する。そして、表示処理部４１２１は、この新たに作成した監視情報画面５２ａをＴＡ表示部４６に表示する。ここで、この監視情報画面５２ａをＴＡ表示部４６に表示する際に、処理Ｓ１６で予測判定結果が求められている場合には、表示処理部４１２１は、前記アイコンＩＣの表示と前記予測アイコンの表示とを異ならせてＴＡ表示部４６に表示する。例えば、前記アイコンＩＣは、常時点灯でＴＡ表示部４６に表示され、前記予測アイコンは、点滅でＴＡ表示部４６に表示される。
【００５７】
この処理Ｓ１９では、携帯端末ユニットＴＡは、表示処理部４１２１によって、前記受信した監視情報通信信号に収容されている各情報（各データ）に従って監視情報画面を更新し、この更新した監視情報画面をＴＡ表示部４６に表示する。
【００５８】
前記受信した監視情報通信信号に収容されている各情報に従って監視情報画面５２を更新するために、表示処理部４１２１は、前記受信した監視情報通信信号に収容されている判定時刻からの経過時間を求め、前記受信した監視情報通信信号に収容されている判定結果に対応するアイコンＩＣをアイコン記憶部４２１から前記判定結果を検索キーとして検索する。そして、表示処理部４１２１は、既に表示されている監視情報画面５２に対し、前記求めた経過時間および前記検索したアイコンＩＣをアイコン領域５２２に表示し、前記受信した監視情報通信信号に収容されている画像（静止画）を画像領域５２３ａに表示することで監視情報画面５２を更新する。ここで、アイコン領域５２２には、既に受信していた監視情報通信信号に収容された判定結果に応じてアイコンＩＣが表示されているので、今般の前記検索したアイコンＩＣは、この既に表示されているアイコンＩＣに対して時系列に並べられてアイコン領域５２２に表示される。例えば、被監視者Ｏｂの判定結果「起床」が報知された後に、その判定結果「離床」が報知された場合、図７に示す、被監視者Ｏｂの判定結果「起床」を表すアイコンＩＣ−１がアイコン領域５２２に表示されている監視情報画面５２ａは、図８に示すように、被監視者Ｏｂの判定結果「離床」を表すアイコンＩＣ−２が前記判定結果「起床」を表すアイコンＩＣ−１に対する紙面左隣に並べてアイコン領域５２２に表示されている監視情報画面５２ｂに更新される。ここで、この監視情報画面５２を更新する際に、処理Ｓ１６で予測判定結果が求められている場合には、表示処理部４１２１は、処理Ｓ１８と同様に、前記予測判定結果に対応するアイコンＩＣを予測アイコンとしてアイコン記憶部４２１から前記予測判定結果を検索キーとして検索し、この検索した予測アイコンも前記検索したアイコンＩＣに対して時系列に並べてアイコン領域５２２に表示する。図８に示す監視情報画面５２ｂにさらに予測アイコンを表示する場合には、この予測アイコンは、被監視者Ｏｂの判定結果「離床」を表すアイコンＩＣ−２に対し紙面左隣に表示されることになる。そして、表示処理部４１２１は、この更新した監視情報画面５２ｂをＴＡ表示部４６に表示する。ここで、この監視情報画面５２ｂをＴＡ表示部４６に表示する際に、処理Ｓ１６で予測判定結果が求められている場合には、表示処理部４１２１は、前記アイコンＩＣの表示（図８に示す例ではアイコンＩＣ−１、ＩＣ−２）と前記予測アイコンの表示とを異ならせてＴＡ表示部４６に表示する。
【００５９】
処理Ｓ１８の次に、または、処理Ｓ１９の次に、携帯端末ユニットＴＡは、ＴＡ制御処理部４１によって、ＴＡ入力部４５およびＴＡ表示部４６を備えて成るタッチパネルで入力操作を受け付けたか否かを判定する。この判定の結果、入力操作を受け付けていない場合（Ｎｏ）には、携帯端末ユニットＴＡは、処理を処理Ｓ２０に戻し、一方、前記判定の結果、入力操作を受け付けている場合には、携帯端末ユニットＴＡは、次の処理Ｓ２１を実行する。
【００６０】
この処理Ｓ２１では、携帯端末ユニットＴＡは、ＴＡ制御処理部４１によって、入力操作の内容に応じた適宜な処理を実行し、この前記監視情報の表示動作を終了する。
【００６１】
例えば、携帯端末ユニットＴＡは、ＴＡ制御処理部４１によって、ＴＡ入力部４５およびＴＡ表示部４６を備えて成るタッチパネルで前記入力操作として「タップ」を受け付けると、画像領域５２３ａを全画面表示の画像領域５２３ｂに代えた監視情報画面５２ｃをＴＡ表示部４６に表示する。この監視情報画面５２ｃは、例えば、図９に示すように、メニューバー領域５１１と、被監視者名領域５２１と、前記検知ＩＤの前記検知ユニットＳＵによって撮像された画像（ここでは静止画）を、メニューバー領域５１１および被監視者名領域５２１を除いた残余の領域全面で表示する全画面表示の画像領域５２３ｂとを備える。この全画面表示によって、監視者（ユーザ）は、被監視者Ｏｂの様子をより詳細に認識することができる。
【００６２】
また例えば、携帯端末ユニットＴＡは、ＴＡ制御処理部４１によって、「対応する」ボタン５２４の入力操作を受け付けると、現在、ＴＡ表示部４６に表示している被監視者Ｏｂの監視情報に対応する検知ＩＤを検知ＩＤフィールド４２３１に登録しているレコードにおける、対応フィールド４２３６にフラグ「１」を登録し、当該携帯端末ユニットＴＡにログインしている監視者（ユーザ）が、現在、ＴＡ表示部４６に表示している被監視者Ｏｂに対する例えば看護等の前記対応を実行する意思があることを、固定端末ユニットＳＰおよび他の携帯端末ユニットＴＡに報知し、ＴＡ表示部４６に表示している被監視者Ｏｂの監視情報画面５２を削除する。
【００６３】
また例えば、携帯端末ユニットＴＡは、ＴＡ制御処理部４１によって、「話す」ボタン５２５の入力操作を受け付けると、現在、ＴＡ表示部４６に表示している被監視者Ｏｂを監視する検知ユニットＳＵと、ネットワークＮＷを介して通話可能に接続する。
【００６４】
また例えば、携帯端末ユニットＴＡは、ＴＡ制御処理部４１によって、「ＬＩＶＥを見る」ボタン５２６の入力操作を受け付けると、現在、ＴＡ表示部４６に表示している被監視者Ｏｂを監視する検知ユニットＳＵと、ネットワークＮＷを介して動画のダウンロード可能に接続する。これによって画像領域５２３ａには、あるいは、前記「タップ」によって切り替わった画像領域５２３ｂには、被監視者Ｏｂの動画が表示される。
【００６５】
以上説明したように、被監視者監視システムＭＳ、被監視者監視システムＭＳの表示装置（上述の実施形態では代表的に携帯端末ユニットＴＡ）およびこれに実装された被監視者監視システムの表示方法は、被監視者Ｏｂの画像だけでなく、判定結果を象徴的に表すアイコンＩＣも表示するので、例えば看護師や介護士等の監視者（ユーザ）は、アイコンＩＣを参照することで、アイコンＩＣを、前記画像を理解するための補助として使うことができ、前記画像から、より的確に、より早く、被監視者Ｏｂの状態（状況）を把握できる。例えば、前記画像から把握できる被監視者Ｏｂの状態とアイコンＩＣから把握できる被監視者Ｏｂの状態とが一致する場合には、アイコンＩＣが象徴的に表す判定結果そのものとして、前記画像から、より的確に、より早く、被監視者Ｏｂの状態を把握できる。また例えば、前記画像から把握できる被監視者Ｏｂの状態とアイコンＩＣから把握できる被監視者Ｏｂの状態とが一致しない場合には、アイコンＩＣが象徴的に表す判定結果から前記画像から把握できる被監視者Ｏｂの状態へと移行したものとして、前記画像から、より的確に、より早く、被監視者Ｏｂの状態を把握できる。例えば、前記被監視者の画像が現在の画像である場合には、前記現在の画像とアイコンとを参照することで、最新の状況とその経緯を把握できる。
【００６６】
より具体的には、例えば、監視情報画面５２に離床アイコンＩＣ−２および被監視者Ｏｂの歩行している画像が表示されている場合には、監視者は、被監視者Ｏｂが離床してから歩いていると判断できる。また例えば、監視情報画面５２に起床アイコンＩＣ−１および被監視者Ｏｂのベッドの端部に腰掛けている画像が表示されている場合には、監視者は、被監視者Ｏｂがそろそろ離床すると判断できる。また例えば、監視情報画面５２に起床アイコンＩＣ−１および被監視者Ｏｂのベッドに寝ている画像が表示されている場合には、監視者は、被監視者Ｏｂが一旦起きたがまた寝たと判断できる。また例えば、監視情報画面５２に起床アイコンＩＣ−１、転倒転落アイコンＩＣ−３および被監視者Ｏｂのベッドに座っている画像が表示されている場合には、監視者は、被監視者Ｏｂが起床して転倒転落したが自力でベッドに戻ったと判断できる。また例えば、監視情報画面５２に転倒転落アイコンＩＣ−３および被監視者Ｏｂがベッドの横にいる画像（判定時刻での静止画）が表示され、「ＬＩＶＥを見る」ボタン５２６によって表示された動画でも前記判定時刻での静止画と同様に被監視者Ｏｂがベッドの横にいる画像である場合には、監視者は、被監視者Ｏｂが転倒転落して動けないと判断できる。
【００６７】
被監視者監視システムＭＳ、被監視者監視システムＭＳの表示装置（上述の実施形態では代表的に携帯端末ユニットＴＡ）およびこれに実装された被監視者監視システムの表示方法は、監視情報画面５２には判定時刻からの経過時間が表示されるので、前記被監視者の画像が現在の画像である場合、被監視者の現状とアイコンとのずれを認識する際に使用することで、被監視者に生じた状況の判断の精度が向上する。
【００６８】
被監視者監視システムＭＳ、被監視者監視システムＭＳの表示装置（上述の実施形態では代表的に携帯端末ユニットＴＡ）およびこれに実装された被監視者監視システムの表示方法は、アイコンＩＣを時系列で複数表示するので、前記監視者は、時系列に並ぶ複数のアイコンＩＣを参照することで、被監視者Ｏｂの状態（状況）の履歴を認識できる。
【００６９】
被監視者監視システムＭＳ、被監視者監視システムＭＳの表示装置（上述の実施形態では代表的に携帯端末ユニットＴＡ）およびこれに実装された被監視者監視システムの表示方法は、前記予測アイコンを表示するので、監視者は、被監視者Ｏｂにこれから生じる可能性の高い状態を認識できる。
【００７０】
被監視者監視システムＭＳ、被監視者監視システムＭＳの表示装置（上述の実施形態では代表的に携帯端末ユニットＴＡ）およびこれに実装された被監視者監視システムの表示方法は、予測アイコン表示被監視者記憶部４２２を備え、その記憶内容に従って表示処理部４１２１が予測アイコンの表示および非表示の制御を行うので、予測判定結果の必要な被監視者Ｏｂのみに予測アイコンの表示を設定できる。例えば、異常状態（例えば転倒転落等）等の所定の不都合な事象が生じ易い要注意な被監視者Ｏｂのみに予測アイコンの表示を設定できる。
【００７１】
被監視者監視システムＭＳ、被監視者監視システムＭＳの表示装置（上述の実施形態では代表的に携帯端末ユニットＴＡ）およびこれに実装された被監視者監視システムの表示方法は、前記アイコンＩＣの表示と前記予測アイコンの表示とを異なる表示で表示するので、監視者は、表示されているアイコンＩＣが、その表示から、前記アイコンＩＣか、前記予測アイコンかの別を容易に認識できる。
【００７２】
なお、上述の実施形態では、被監視者監視システムＭＳは、管理サーバユニットＳＶの情報処理量の軽減を図るために、検知ユニットＳＵが被監視者Ｏｂの状態（状況）を判定するように構成されたが、管理サーバユニットＳＶが検知ユニットＳＵから例えば前記体動センサの出力および前記画像センサの出力を受信して被監視者Ｏｂの状態（状況）を判定するように構成されても良い。
【００７３】
また、上述の実施形態では、画像領域５２３ａ、５２３ｂには、静止画または略リアルタイムな動画（リアルタイム動画）が表示されたが、記録された記録動画が表示されても良い。前記記録動画は、例えば、被監視者Ｏｂの状況を判定した際に、判定時刻を含むその前後の一定時間の動画を記録したものである。このような記録動画によって、状況の正確な把握ができ、原因の解明や防止対策に役立てることができる。
【００７４】
本明細書は、上記のように様々な態様の技術を開示しているが、そのうち主な技術を以下に纏める。
【００７５】
一態様にかかる被監視者監視システムの表示装置は、監視対象である被監視者を検知して前記被監視者を監視する被監視者監視システムにおける、前記被監視者の画像と前記被監視者の状態を判定した判定結果とを表示する表示装置であって、前記被監視者の前記画像および前記判定結果を表すアイコンを表示する。好ましくは、被監視者監視システムの表示装置は、監視対象である被監視者を検知して前記被監視者を監視する被監視者監視システムにおける、前記被監視者の画像と前記被監視者の状態を判定した判定結果とを表示する表示装置であって、前記被監視者の前記画像および前記判定結果を受け付ける監視情報受付部と、表示を行う表示部と、前記判定結果に対応付けて前記判定結果を表すアイコンを記憶するアイコン記憶部と、前記監視情報受付部で受け付けた前記被監視者の判定結果に対応するアイコンを前記アイコン記憶部から取得し、前記取得したアイコンおよび前記監視情報受付部で受け付けた前記被監視者の画像を前記表示部に表示する表示処理部とを備える。前記アイコンは、物事を比較的簡単な絵柄等で記号化して表現したものであり、絵、記号、図またはこれらの組合せで構成される。
【００７６】
このような表示装置は、被監視者の画像だけでなく、判定結果を象徴的に表すアイコンも表示するので、例えば看護師や介護士等の監視者（ユーザ）は、前記アイコンを参照することで、前記アイコンを、前記画像を理解するための補助として使うことができ、前記画像から、より的確に、より早く、被監視者の状態（状況）を把握できる。例えば、前記画像から把握できる被監視者の状態と前記アイコンから把握できる被監視者の状態とが一致する場合には、前記アイコンが象徴的に表す判定結果そのものとして、前記画像から、より的確に、より早く、被監視者の状態を把握できる。また例えば、前記画像から把握できる被監視者の状態と前記アイコンから把握できる被監視者の状態とが一致しない場合には、前記アイコンが象徴的に表す判定結果から前記画像から把握できる被監視者の状態へと移行したものとして、前記画像から、より的確に、より早く、被監視者の状態を把握できる。例えば、前記被監視者の画像が現在の画像である場合には、前記現在の画像とアイコンとを参照することで、最新の状況とその経緯を把握できる。
【００７７】
他の一態様では、上述の被監視者監視システムの表示装置において、前記被監視者の画像は、前記被監視者の直上に配置されたカメラで生成される。
【００７８】
このような前記被監視者の直上に配置されたカメラで生成された画像を判定に用いる被監視者監視システムの表示装置に効果的である。
【００７９】
他の一態様では、これら上述の被監視者監視システムの表示装置において、前記被監視者の画像は、静止画または動画である。
【００８０】
これによれば、静止画または動画を表示する被監視者監視システムの表示装置を提供できる。
【００８１】
他の一態様では、これら上述の被監視者監視システムの表示装置において、前記動画は、記録された記録動画またはリアルタイムなリアルタイム動画である。
【００８２】
これによれば、記録動画またはリアルタイム動画を表示する被監視者監視システムの表示装置を提供できる。
【００８３】
他の一態様では、これら上述の被監視者監視システムの表示装置において、前記被監視者の画像は、前記判定を行った際に用いられた画像である。
【００８４】
このような被監視者監視システムの表示装置では、判定の際の画像とアイコンとを参照することで、判定の際の状況を把握でき、被監視者に起きた事象を素早く正確に判断できる。
【００８５】
他の一態様では、これら上述の被監視者監視システムの表示装置において、前記表示処理部は、さらに、前記判定を行った判定時刻からの経過時間を前記表示部に表示する。
【００８６】
これによれば、判定時刻からの経過時間を表示した被監視者監視システムの表示装置を提供できる。特に、前記被監視者の画像が現在の画像である場合、被監視者の現状とアイコンとのずれを認識する際に使用することで、被監視者に生じた状況の判断の精度が向上する。
【００８７】
他の一態様では、これら上述の被監視者監視システムの表示装置において、前記表示処理部は、前記アイコンを時系列で複数表示する。好ましくは、上述の被監視者監視システムの表示装置において、前記監視情報受付部は、前記被監視者の前記画像および前記判定結果を異なる時刻で複数受け付け、前記アイコン記憶部は、互いに異なる種類の判定結果それぞれに対応付けて当該判定結果を表す複数のアイコンを記憶し、前記表示処理部は、前記監視情報受付部で受け付けた前記被監視者の複数の判定結果それぞれに対応する複数のアイコンを前記アイコン記憶部から取得し、前記取得した複数のアイコンを時系列に並べて前記表示部に表示し、前記監視情報受付部で受け付けた前記被監視者の複数の画像のうちの１つを前記表示部に表示する。
【００８８】
このような表示装置は、アイコンを時系列で複数表示するので、監視者は、時系列に並ぶ複数のアイコンを参照することで、被監視者の状態（状況）の履歴を認識できる。
【００８９】
他の一態様では、これら上述の被監視者監視システムの表示装置において、前記表示処理部は、将来生じる前記被監視者の判定結果を予測した予測判定結果を表す予測アイコンをさらに表示する。好ましくは、これら上述の被監視者監視システムの表示装置において、将来生じる前記被監視者の判定結果を予測する判定結果予測部をさらに備え、前記表示処理部は、前記監視情報受付部で受け付けた前記被監視者の判定結果に対応するアイコンを前記アイコン記憶部から取得し、前記判定結果予測部で予測された予測判定結果に対応するアイコンを前記予測アイコンとして前記アイコン記憶部から取得し、前記取得したアイコンおよび予測アイコンならびに前記監視情報受付部で受け付けた前記被監視者の画像を前記表示部に表示する。好ましくは、上述の被監視者監視システムの表示装置において、前記判定結果予測部は、予め用意された状態遷移図から、これまでの被監視者の状態（状況）の履歴に対応する遷移先を検索し、この検索した遷移先を前記予測判定結果とする。また好ましくは、上述の被監視者監視システムの表示装置において、前記判定結果予測部は、前記状態遷移図を、過去における被監視者の状態の履歴から作成する。
【００９０】
このような表示装置は、予測アイコンを表示するので、監視者は、被監視者にこれから生じる可能性の高い状態を認識できる。
【００９１】
他の一態様では、上述の被監視者監視システムの表示装置において、前記表示処理部は、予め設定された被監視者のみ、前記予測アイコンを表示する。好ましくは、上述の被監視者監視システムの表示装置において、前記予測アイコンを表示すべき被監視者を特定し識別するための被監視者識別子を記憶する予測アイコン表示被監視者記憶部をさらに備え、前記表示処理部は、前記監視情報受付部で受け付けた前記画像および前記判定結果に対応する前記被監視者の被監視者識別子が前記予測アイコン表示被監視者記憶部に記憶されている場合に、前記予測アイコンを前記表示部に表示する。
【００９２】
このような表示措置は、予測判定結果の必要な被監視者のみに予測アイコンの表示を設定できる。例えば、異常状態（例えば転倒転落等）等の所定の不都合な事象が生じ易い要注意な被監視者のみに予測アイコンの表示を設定できる。
【００９３】
他の一態様では、これら上述の被監視者監視システムの表示装置において、前記表示処理部は、前記アイコンと前記予測アイコンとを異なる表示で表示する。好ましくは、これら上述の被監視者監視システムの表示装置において、前記表示処理部は、前記アイコンの表示と前記予測アイコンの表示とを異ならせて前記表示部に表示する。
【００９４】
このような表示装置は、前記アイコンの表示と前記予測アイコンの表示とを異なる表示で表示するので、監視者は、表示されているアイコンが、その表示から、前記アイコンか、前記予測アイコンかの別を容易に認識できる。
【００９５】
他の一態様にかかる被監視者監視システムの表示方法は、監視対象である被監視者を検知して前記被監視者を監視する被監視者監視システムにおける、前記被監視者の画像と前記被監視者の状態を判定した判定結果を表示する表示方法であって、前記被監視者の前記画像および前記判定結果を表すアイコンを表示する。好ましくは、被監視者監視システムの表示方法は、前記被監視者の画像および前記被監視者の状態を判定した判定結果を受け付ける監視情報受付工程と、前記監視情報受付工程で受け付けた前記被監視者の判定結果に対応するアイコンを、前記判定結果に対応付けて前記判定結果を表すアイコンを予め記憶するアイコン記憶部から取得する取得工程と、前記取得工程で取得したアイコンおよび前記監視情報受付工程で受け付けた前記被監視者の画像を、表示を行う表示部に表示する表示処理工程とを備える。
【００９６】
他の一態様にかかる被監視者監視システムは、監視対象である被監視者を検知して前記被監視者を監視する被監視者監視システムであって、前記被監視者の画像と前記被監視者の状態を判定した判定結果を表示するための、これら上述のいずれかに記載の表示装置を備える。
【００９７】
このような被監視者監視システムの表示方法および前記被監視者監視システムは、被監視者の画像だけでなく、判定結果を象徴的に表すアイコンも表示するので、監視者は、前記アイコンを参照することで、前記アイコンを、前記画像を理解するための補助として使うことができ、前記画像から、より的確に、より早く、被監視者の状態（状況）を把握できる。
【００９８】
この出願は、２０１５年３月２６日に出願された日本国特許出願特願２０１５−６５２８４を基礎とするものであり、その内容は、本願に含まれるものである。
【００９９】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１００】
本発明によれば、被監視者監視システムの表示装置および該表示方法ならびに被監視者監視システムを提供できる。
【図１】
2016152424.tif 000003
【図２】
2016152424.tif 000004
【図３】
2016152424.tif 000005
【図４】
2016152424.tif 000006
【図５】
2016152424.tif 000007
【図６】
2016152424.tif 000008
【図７】
2016152424.tif 000009
【図８】
2016152424.tif 000010
【図９】
2016152424.tif 000011
【図１０】
2016152424.tif 000012
【国際調査報告】
2016152424.tif 000013
2016152424.tif 000014